(57)【要約】【課題】小さなゴミを取り込むことができるとともに、大きなゴミを絡め取ることができ、そして汚れを除去しやすい清掃シートを提供すること。【解決手段】表面シート３と、薬液を保持する保水シート９とを備えており、お互いに直交する第１方向Ｄ1、第２方向Ｄ2及び厚さ方向Ｔと、清掃領域ＣＲとを備えている清掃シート１であって、表面シート３が、不織布から構成され、被清掃面側の第１面５と、保水シート９側の第２面７とを有し、表面シート３が、清掃領域ＣＲに、複数のフラップ部２１であって、そのそれぞれが、一端２３及び他端２５と、一端２３及び他端２５を連結する固定端部２７と、一端２３及び他端２５を起点として固定端部２７から遠ざかる方向に突出している自由端部２９とから構成されるものを備えている清掃シート１。【選択図】図１
2019216855.tif 000002
【特許請求の範囲】
【請求項１】
表面シートと、薬液を保持する保水シートとを備えており、お互いに直交する第１方向、第２方向及び厚さ方向と、清掃領域とを備えている清掃シートであって、
前記表面シートが、不織布から構成され、被清掃面側の第１面と、前記保水シート側の第２面とを有し、
前記表面シートが、前記清掃領域に、複数のフラップ部であって、そのそれぞれが、一端及び他端と、前記一端及び前記他端を連結する固定端部と、前記一端及び前記他端を起点として前記固定端部から遠ざかる方向に突出している自由端部とから構成されるものを備えている、
前記清掃シート。
【請求項２】
前記表面シートが、第１方向及び／又は第２方向において、前記複数のフラップ部として、内方に配置された、相対的に面積の小さなフラップ部と、外方に配置された、相対的に面積の大きなフラップ部とを備えている、請求項１に記載の清掃シート。
【請求項３】
前記複数のフラップ部のそれぞれが、任意の位置で折り返した場合に、前記フラップ部が存在しうる最大領域である可動領域を備えており、
前記表面シートが、前記複数のフラップ部として、隣接する２つのフラップ部の可動領域が、前記厚さ方向において重複しているものを含む、請求項１又は２に記載の清掃シート。
【請求項４】
前記表面シートが、前記複数のフラップ部として、隣接する２つのフラップ部が、前記厚さ方向において重複しているものを含む、請求項１〜３のいずれか一項に記載の清掃シート。
【請求項５】
前記表面シートが、前記複数のフラップ部として、隣接する２つのフラップ部であって、自由端部同士が交差していないが、固定端部同士が交差しているものを含む、請求項１〜４のいずれか一項に記載の清掃シート。
【請求項６】
前記表面シートが、前記複数のフラップ部として、第１方向の一方向に突出している前記自由端部を備えている一方向フラップ部と、第１方向の他方向に突出している前記自由端部を備えている他方向フラップ部とを含む、請求項１〜５のいずれか一項に記載の清掃シート。
【請求項７】
前記表面シートが、第１面を構成するとともに、親水性繊維及び疎水性繊維を含む第１層と、第２面を構成するとともに、親水性繊維及び疎水性繊維を含む第２層とを含み、第２層を構成する疎水性繊維の比率が、第１層を構成する疎水性繊維の比率よりも高い、請求項１〜６のいずれか一項に記載の清掃シート。
【請求項８】
清掃面を構成する表面シートと、薬液を保持する保水シートとを備えており、お互いに直交する第１方向、第２方向及び厚さ方向と、清掃領域とを備えている清掃シート用の表面シートであって、
前記表面シートが、不織布から構成され、清掃面を構成する第１面と、第１面と反対側の第２面とを有し、
前記表面シートが、前記清掃領域に、複数のフラップ部であって、そのそれぞれが、一端及び他端と、前記一端及び前記他端を連結する固定端部と、前記一端及び前記他端を起点として前記固定端部から遠ざかる方向に突出している自由端部とから構成されるものを備えている、
前記表面シート。
【発明の詳細な説明】
【技術分野】
【０００１】
本開示は、清掃シート、及び清掃シート用の表面シートに関する。
【背景技術】
【０００２】
被清掃面に存在するほこり、ゴミ等を清掃するための清掃シートが知られており、清掃性を向上させる等の観点から種々の改良が加えられている。
例えば、特許文献１には、清掃部を形成しているシート構造体からなる清掃シートであって、シート構造体は、シート原材に所定のパターンで多数の切れ目を形成してなる切れ目群を設けてシート原材の厚み方向に対して交差する方向にシート原材を引き伸ばして切れ目群の少なくとも一部を構成する複数の切れ目を拡幅してなる複数のスリット穴を形成しているシート材を備えており、且つ、清掃部に、シート材における少なくとも一部のスリット穴が位置している、ことを特徴とする清掃シートが記載されている。
なお、特許文献１は、いわゆる、乾式の清掃シートに関するもので有り、湿式の清掃シート、すなわち、薬液を保持する保水シートを備える清掃シートに関するものではない。
【先行技術文献】
【特許文献】
【０００３】
【特許文献１】特開２０１３−２７６８２号公報
【発明の概要】
【発明が解決しようとする課題】
【０００４】
特許文献１に記載の清掃シートは、そもそも、乾式の清掃シートであり、そして引例１に記載の清掃シートでは、切れ目群は、清掃シートを、その厚さ方向と交差する方向に引き延ばすために設けられたものであり、切れ目群が、清掃シートの清掃性に直接寄与するものではない。
従って、本開示は、小さなゴミを取り込むことができるとともに、大きなゴミを絡め取ることができ、そして汚れを除去しやすい清掃シートを提供することを目的とする。
【課題を解決するための手段】
【０００５】
本開示者らは、表面シートと、薬液を保持する保水シートとを備えており、お互いに直交する第１方向、第２方向及び厚さ方向と、清掃領域とを備えている清掃シートであって、上記表面シートが、不織布から構成され、被清掃面側の第１面と、上記保水シート側の第２面とを有し、上記表面シートが、上記清掃領域に、複数のフラップ部であって、そのそれぞれが、一端及び他端と、上記一端及び上記他端を連結する固定端部と、上記一端及び上記他端を起点として上記固定端部から遠ざかる方向に突出している自由端部とから構成されるものを備えている清掃シートを見出した。
【発明の効果】
【０００６】
本開示の清掃シートは、小さなゴミを取り込むことができるとともに、大きなゴミを絡め取ることができ、そして汚れを除去しやすい。
【図面の簡単な説明】
【０００７】
【図１】図１は、第１実施形態に従う清掃シート１の正面図である。
【図２】図２は、清掃シート１の背面図である。
【図３】図３は、清掃シート１の、図１のＩＩＩ−ＩＩＩ端面における端面図である。
【図４】図４は、図１の領域ＩＶの拡大斜視図である。
【図５】図５は、第１フラップ部２１の往復運動を説明するための図であり、図１の領域ＩＶの拡大斜視図に相当する。
【図６】図６は、図３の領域ＶＩの拡大図である。
【図７】図７は、被清掃面を清掃中の清掃シート１を説明するための図である。
【図８】図８は、清掃シート１が、清掃具１０１に取付られた状態を説明するための図である。
【図９】図９は、フラップ部の可動領域を説明するための図である。
【図１０】図１０は、本開示の清掃シートにおけるフラップ部の例を説明するための図である。
【発明を実施するための形態】
【０００８】
［定義］
・フラップ部の「面積」
本明細書において、フラップ部の面積は、フラップ部を構成する自由端部及び固定端部により画定される区画を、清掃シートの厚さ方向から測定した面積を意味する。
【０００９】
・フラップ部の「可動領域」
本明細書において、フラップ部の可動領域は、フラップ部を任意の位置で、１又は複数回、表面シートの残余の部分と接するように折り返した場合に、フラップ部が存在しうる最大領域を意味する。
【００１０】
図９は、フラップ部の可動領域を説明するための図であり、フラップ部２０１は、一端２０３及び他端２０５と、一端２０３及び他端２０５を直線的に連結する固定端部２０７と、一端２０３及び他端２０５を起点として固定端部２０７から遠ざかる方向に突出している自由端部２０９とから構成されるものを備えており、自由端部２０９は、一端２０３及び最遠部２１１を通る直線部と、他端２０５及び最遠部２１１を通る直線部とから構成されている。
【００１１】
図９にはまた、フラップ部２０１を、異なる位置で１回折り返した場合のフラップ部２０１ａ，フラップ部２０１ｂ，フラップ部２０１ｃ，及びフラップ部２０１ｄ（固定端部２０７にて折り返した場合）が示されており、可動領域２１３は、一端２０３を中心とし、一端２０３及び最遠部２１１を通る直線部を半径とする円弧２１５と、他端２０５を中心とし、他端２０５及び最遠部２１１を通る直線部を半径とする円弧２１７とにより区画される。
【００１２】
フラップ部が、図１０（ａ）に示されるような半円弧部から構成される自由端部３０９を備えるフラップ部３０１である場合には、フラップ部３０１の可動領域は、フラップ部３０１の自由端部３０９と、フラップ部３０１を、固定端部３０７のところで折り返したときの自由端部３０９とにより区画される。
フラップ部が、半円弧部未満の円弧部から構成される自由端部を備えるフラップ部である場合における可動領域も同様である。
【００１３】
具体的には、本開示は以下の態様に関する。
［態様１］
表面シートと、薬液を保持する保水シートとを備えており、お互いに直交する第１方向、第２方向及び厚さ方向と、清掃領域とを備えている清掃シートであって、
上記表面シートが、不織布から構成され、被清掃面側の第１面と、上記保水シート側の第２面とを有し、
上記表面シートが、上記清掃領域に、複数のフラップ部であって、そのそれぞれが、一端及び他端と、上記一端及び上記他端を連結する固定端部と、上記一端及び上記他端を起点として上記固定端部から遠ざかる方向に突出している自由端部とから構成されるものを備えている、
上記清掃シート。
【００１４】
上記清掃シートは、表面シートに、所定の構成を有する、複数のフラップ部を備えている。従って、上記清掃シートを、表面シートが被清掃面に接するように清掃具に固定し、被清掃面を清掃する（以下、「清掃シートを、表面シートが被清掃面に接するように清掃具に固定し、被清掃面を清掃する」ことを、単に、「清掃シートを使用する」と称する場合がある）際に、表面シートに存在するフラップ部が、被清掃面の摩擦の高い部分(例えば、ゴミ、汚れ等が存在する部分）と接触すると、上記フラップ部が、第１面を内側にして、自由端部から固定端部に向かう方向に折り返される（以下、「フラップ部が、第１面を内側にして、自由端部から固定端部に向かう方向に折り返される」ことを、単に、『フラップ部が折り返される』と称する場合がある）ことになり、その結果、保水シートが、表面シートを介さずに、保持している薬液を、汚れ部分に適用し、汚れ部分を湿潤化し、除去しやすくすることができる（以下、「汚れ部分湿潤化作用」と称する場合がある）。
【００１５】
また、フラップ部が折り返されることにより、表面シートの、フラップ部が存在していた場所には、開口部が形成され、小さなゴミを、当該開口部（特に、固定端部の周辺）から、清掃シートの内部（表面シートと、保水シートとの間）に取り込むことができる（以下、フラップ部が、小さなゴミを、開口部から、清掃シートの内部に取り込む作用を、「小ゴミ取り込み作用」と称する場合がある）。
さらに、フラップ部が、折り返されることと、元に戻ることとの往復運動を行う際に、フラップ部が、大きなゴミを絡め取ることができる（以下、フラップ部が往復運動を行うことにより大きなゴミを絡め取ることを、「大ゴミ絡め取り作用」と称する場合がある）。
【００１６】
さらに、清掃シートを使用する場合、被清掃面に存在する、髪の毛、ホコリ等のゴミは、最初に、清掃シートの周辺部にて清掃シートに捕捉され、周辺部にて清掃シートに捕捉されなかったゴミが、清掃シートの中央部に移動する傾向がある。従って、清掃シートの使用に伴って、清掃シートの周縁部では、捕捉された、髪の毛、ホコリ等のゴミの量と、被清掃面に存在する、髪の毛、ホコリ等のゴミとが繋がり合い、棒状のゴミ連結体を形成し、清掃シートが捕捉するゴミの量が増えるに伴って、ゴミ連結体が肥大化していく傾向がある。上記フラップ部は、往復運動を行う際に、フラップ部が、ゴミ連結体を巻き込むこと等により、ゴミ連結体を保持し続ける（以下、フラップ部が、往復運動を行う際に、ゴミ連結体を保持し続ける作用を、「ゴミ連結体保持作用」と称する場合がある）ことができる。
【００１７】
さらに、フラップ部が折り返されることにより、清掃シートが、折り返されたフラップ部と、上記厚さ方向に重複する領域である凸領域と、開口部と、上記厚さ方向に重複する領域である凹領域とを含む凹凸領域を有することになるため、清掃シートによる、汚れ（例えば、固形状の皮脂汚れ）の拭き取り性が向上する（以下、フラップ部が折り返されることにより凹凸領域を形成し、汚れを拭き取ることを、「汚れ拭き取り作用」と称する場合がある）。
以上より、上記清掃シートは、小さなゴミを取り込むことができるとともに、大きなゴミを絡め取ることができ、そして汚れを除去しやすい。
【００１８】
［態様２］
上記表面シートが、第１方向及び／又は第２方向において、上記複数のフラップ部として、内方に配置された、相対的に面積の小さなフラップ部と、外方に配置された、相対的に面積の大きなフラップ部とを備えている、態様１に記載の清掃シート。
【００１９】
上記清掃シートでは、第１方向及び／又は第２方向において、外方に配置されている、相対的に面積の大きなフラップ部が、相対的に大きな往復運動をする際に、ゴミ連結体を巻込むこと等により、肥大化したゴミ連結体を保持しやすくなる。また、内方に配置されている、面積の小さなフラップ部は、相対的に小さな往復運動を行い、外方に配置されている、面積の大きなフラップ部が取り残したゴミを捕捉することができる。
【００２０】
［態様３］
上記複数のフラップ部のそれぞれが、任意の位置で折り返した場合に、上記フラップ部が存在しうる最大領域である可動領域を備えており、
上記表面シートが、上記複数のフラップ部として、隣接する２つのフラップ部の可動領域が、上記厚さ方向において重複しているものを含む、態様１又は２に記載の清掃シート。
【００２１】
上記清掃シートでは、表面シートが、所定のフラップ部を含むので、清掃シートを用いる際に、当該所定のフラップ部が相互に干渉しあうことにより、複雑な動きをすることができ、上述の小ゴミ取り込み作用、大ゴミ絡め取り作用、ゴミ連結体保持作用、及び汚れ拭き取り作用をより発揮することができる。
【００２２】
［態様４］
上記表面シートが、上記複数のフラップ部として、隣接する２つのフラップ部が、上記厚さ方向において重複しているものを含む、態様１〜３のいずれか一項に記載の清掃シート。
【００２３】
上記清掃シートでは、表面シートが、所定のフラップ部を含むので、清掃シートを使用する際に、当該所定のフラップ部が、相互に干渉しあうことにより、それらが複雑な動きをすることができ、上述の小ゴミ取り込み作用、大ゴミ絡め取り作用、ゴミ連結体保持作用、及び汚れ拭き取り作用をより発揮することができる。
【００２４】
［態様５］
上記表面シートが、上記複数のフラップ部として、隣接する２つのフラップ部であって、自由端部同士が交差していないが、固定端部同士が交差しているものを含む、態様１〜４のいずれか一項に記載の清掃シート。
【００２５】
上記清掃シートでは、表面シートが所定のフラップ部を含むため、清掃シートを用いる際に、当該所定のフラップ部が、往復運動を行う際に起点となる自由端部の自由度を保持しながら、相互に干渉しあうことにより、それらが複雑な動きをすることができ、上述の小ゴミ取り込み作用、大ゴミ絡め取り作用、ゴミ連結体保持作用、及び汚れ拭き取り作用をより発揮することができる。
【００２６】
［態様６］
上記表面シートが、上記複数のフラップ部として、第１方向の一方向に突出している上記自由端部を備えている一方向フラップ部と、第１方向の他方向に突出している上記自由端部を備えている他方向フラップ部とを含む、態様１〜５のいずれか一項に記載の清掃シート。
【００２７】
上記清掃シートでは、表面シートが、複数のフラップ部として、所定の第１フラップ部と、所定の第２フラップ部とを含むので、清掃シートを、第１方向に往復させる際に、いずれの方向に動かした場合でも、上述の小ゴミ取り込み作用、大ゴミ絡め取り作用、ゴミ連結体保持作用、及び汚れ拭き取り作用を発揮することができる。
【００２８】
［態様７］
上記表面シートが、第１面を構成するとともに、親水性繊維及び疎水性繊維を含む第１層と、第２面を構成するとともに、親水性繊維及び疎水性繊維を含む第２層とを含み、第２層を構成する疎水性繊維の比率が、第１層を構成する疎水性繊維の比率よりも高い、態様１〜６のいずれか一項に記載の清掃シート。
【００２９】
上記清掃シートでは、第１層及び第２層のそれぞれが、所定の疎水性繊維の比率を有する。従って、第１層は、保水シートが保持する薬液を被清掃面に拡げる能力が相対的に高く、そして第２層は、第１層よりも疎水性繊維の比率が高いことから、汚れ部分の掻き取り性に相対的に優れる。また、疎水性繊維の比率の高い第２層が、保水シートに張り付きにくくなるため、複数のフラップ部が、清掃シートの使用時に折り返されやすくなる。
【００３０】
上記清掃シートでは、被清掃面がきれいな場合には、表面シートの第１層が、被清掃面に薬液を拡げ、被清掃面を清浄化することができる。また、被清掃面が、ゴミ、汚れ等が存在する摩擦の高い部分を有する場合には、複数のフラップ部が折り返され、高比率で疎水性繊維を含む第２層が、湿潤した汚れ部分と接触し、汚れ部分を掻き取り、除去することができる。
【００３１】
［態様８］
清掃面を構成する表面シートと、薬液を保持する保水シートとを備えており、お互いに直交する第１方向、第２方向及び厚さ方向と、清掃領域とを備えている清掃シート用の表面シートであって、
上記表面シートが、不織布から構成され、清掃面を構成する第１面と、第１面と反対側の第２面とを有し、
上記表面シートが、上記清掃領域に、複数のフラップ部であって、そのそれぞれが、一端及び他端と、上記一端及び上記他端を連結する固定端部と、上記一端及び上記他端を起点として上記固定端部から遠ざかる方向に突出している自由端部とから構成されるものを備えている、
上記表面シート。
【００３２】
上記表面シートは、清掃シートに用いられた場合に、小さなゴミを取り込むことができるとともに、大きなゴミを絡め取ることができ、そして汚れを除去しやすい。
【００３３】
本開示の清掃シート、及び清掃シート用の表面シートについて、以下、詳細に説明する。
図１〜図８は、本開示の実施形態の１つ（以下、「第１実施形態」と称する）に従う清掃シート１を説明するための図である。具体的には、図１は、清掃シート１の正面図である。図２は、清掃シート１の背面図である。図３は、清掃シート１の、図１のＩＩＩ−ＩＩＩ端面における端面図である。図４は、図１の領域ＩＶの拡大斜視図である。図５は、第１フラップ部２１の往復運動を説明するための図であり、図１の領域ＩＶの拡大斜視図に相当する。図６は、図３の領域ＶＩの拡大図であり、説明のため、一方向第１フラップ部３１が折り返されている。図７は、被清掃面を清掃中の清掃シート１を説明するための図である。図８は、清掃シート１が、清掃具１０１に取付られた状態を説明するための図である。
【００３４】
第１実施形態に従う清掃シート１は、お互いに直交する、平面方向Ｐと、厚さ方向Ｔとを備えている。平面方向Ｐは、お互いに直交する、第１方向Ｄ1と、第２方向Ｄ2とを含み、第１方向Ｄ1は、一方向Ｄ11と、他方向Ｄ12とに区画される。
なお、第１方向Ｄ1及び第２方向Ｄ2は、それぞれ、清掃シート１の短手方向及び長手方向と一致し、そして図８に示されるように、清掃シート１は、その第１方向Ｄ1（短手方向）が清掃具１０１の清掃シート取付部１０５の短手方向Ｓと一致し、そしてその第２方向Ｄ2（長手方向）が清掃具１０１の清掃シート取付部１０５の長手方向Ｌと一致するように取り付けられ、使用される。
【００３５】
清掃シート１は、清掃面を構成する第１表面シート３と、薬液を保持する保水シート９と、清掃面を構成する第２表面シート１１とを、その順番で備えており、第１表面シート３及び第２表面シート１１の両面を、被清掃面の清掃に用いることができる。
清掃シート１は、被清掃面を清掃するための領域である清掃領域ＣＲを備えている。
【００３６】
第１表面シート３は、不織布から構成され、被清掃面側に配置された第１面５と、第１面５と反対側且つ保水シート９側に配置された第２面７とを備えている。第２面７は、保水シート９と接している。
第１表面シート３は、清掃領域ＣＲに、複数の第１フラップ部２１を備えている。複数の第１フラップ部２１のそれぞれは、第１一端２３及び第１他端２５と、第１一端２３及び第１他端２５を直線的に連結する第１固定端部２７と、第１一端２３及び第１他端２５を起点として第１固定端部２７から遠ざかる方向に突出している第１自由端部２９とから構成される。
【００３７】
複数の第１フラップ部２１は、第１方向Ｄ1の一方向Ｄ11に突出している、複数の一方向第１フラップ部３１と、第１方向Ｄ1の他方向Ｄ12に突出している、複数の他方向第１フラップ部３３とから構成されている。
【００３８】
第１表面シート３は、第２方向Ｄ2に延びており、第１方向Ｄ1に離間して配置されている、７列の第１フラップ部群、具体的には、第１フラップ部第１群３５、第１フラップ部第２群３７、第１フラップ部第３群３９、第１フラップ部第４群４１、第１フラップ部第５群４３、第１フラップ部第６群４５、第１フラップ部第７群４７を備えている。
【００３９】
第１フラップ部第１群３５〜第１フラップ部第７群４７のそれぞれでは、複数の一方向第１フラップ部３１と、複数の他方向第１フラップ部３３とが、相反する方向に突出するように隣接して配置されている。
【００４０】
第１方向Ｄ1において、内方に配置されている、第１フラップ部第２群３７〜第１フラップ部第６群４５に含まれる、複数の第１フラップ部２１のそれぞれの面積は、外方に配置されている、第１フラップ部第１群３５及び第１フラップ部第７群４７に含まれる、複数の第１フラップ部２１のそれぞれの面積よりも相対的に小さい。
【００４１】
そうすることにより、第１方向Ｄ1において、外方に配置されている、第１フラップ部第１群３５及び第１フラップ部第７群４７に含まれる、複数の第１フラップ部２１のそれぞれが、相対的に大きな往復運動をする際に、ゴミ連結体を巻込むこと等により、肥大化したゴミ連結体を保持しやすくなる。また、内方に配置されている、第１フラップ部第２群３７〜第１フラップ部第６群４５に含まれる、複数の第１フラップ部２１のそれぞれが、相対的に小さな往復運動を行い、外方に配置されている、第１フラップ部第１群３５及び第１フラップ部第７群４７に含まれる、複数の第１フラップ部２１が取り残したゴミを捕捉することができる。
【００４２】
また、第１フラップ部第１群３５〜第１フラップ部第７群４７のそれぞれでは、第１方向Ｄ1の一方向Ｄ11に突出している第１自由端部２９を備えている一方向第１フラップ部３１と、第１方向Ｄ1の他方向Ｄ12に突出している第１自由端部２９を備えている他方向第１フラップ部３３とが、第２方向Ｄ2に交互に配置されている。そうすることにより、一方向第１フラップ部３１と、他方向第１フラップ部３３とが、相互に干渉しあい、小ゴミ取り込み作用、大ゴミ絡め取り作用、ゴミ連結体保持作用、及び汚れ拭き取り作用をより発揮することができる。
【００４３】
図４には、一方向第１フラップ部３１（第１一端２３，第１他端２５，第１固定端部２７，第１自由端部２９，可動領域ＭＲ，一方向第１開口部４９）、具体的には、一方向第１フラップ部３１ａ（第１一端２３，第１他端２５，第１固定端部２７ａ，第１自由端部２９ａ，可動領域ＭＲ1，一方向第１開口部４９ａ）、及び一方向第１フラップ部３１ｃ（第１一端２３，第１他端２５，第１固定端部２７ｃ，第１自由端部２９ｃ，可動領域ＭＲ3，一方向第１開口部４９ｃ）と、他方向第１フラップ部３３（第１一端２３，第１他端２５，第１固定端部２７，第１自由端部２９，可動領域ＭＲ，他方向第１開口部５１）、具体的には、他方向第１フラップ部３３ｂ（第１一端２３，第１他端２５，第１固定端部２７ｂ，第１自由端部２９ｂ，可動領域ＭＲ2，他方向第１開口部５１ｂ）、及び他方向第１フラップ部３３ｄ（第１一端２３，第１他端（図示せず），第１固定端部２７ｄ，第１自由端部２９ｄ，可動領域ＭＲ4，他方向第１開口部５１ｄ）が示されている。
【００４４】
図４に示されるように、隣接する２つの第１フラップ部、すなわち、一方向第１フラップ部３１と、他方向第１フラップ部３３とは、それらの可動領域ＭＲが、厚さ方向Ｔに重複している。具体的には、一方向第１フラップ部３１ａの可動領域ＭＲ1と、他方向第１フラップ部３３ｂの可動領域ＭＲ2とが、厚さ方向Ｔに重複しており、他方向第１フラップ部３３ｂの可動領域ＭＲ2と、一方向第１フラップ部３１ｃの可動領域ＭＲ3とが、厚さ方向Ｔに重複しており、一方向第１フラップ部３１ｃの可動領域ＭＲ3と、他方向第１フラップ部３３ｄの可動領域ＭＲ4とが、厚さ方向Ｔに重複している。
【００４５】
そうすることにより、一方向第１フラップ部３１と、他方向第１フラップ部３３とが相互に干渉しあうことにより、複雑な動きをすることができ、小ゴミ取り込み作用、大ゴミ絡め取り作用、ゴミ連結体保持作用、及び汚れ拭き取り作用をより発揮することができる。
【００４６】
また、図４に示されるように、隣接する２つの第１フラップ部、すなわち、一方向第１フラップ部３１そのものと、他方向第１フラップ部３３そのものとは、厚さ方向Ｔに重複している。具体的には、一方向第１フラップ部３１ａそのものと、他方向第１フラップ部３３ｂそのものとが、厚さ方向Ｔに重複しており、他方向第１フラップ部３３ｂそのものと、一方向第１フラップ部３１ｃそのものとが、厚さ方向Ｔに重複しており、そして一方向第１フラップ部３１ｃそのものと、他方向第１フラップ部３３ｄそのものとが、厚さ方向Ｔに重複している。
【００４７】
そうすることにより、一方向第１フラップ部３１と、他方向第１フラップ部３３とが相互に干渉しあうことにより、複雑な動きをすることができ、小ゴミ取り込み作用、大ゴミ絡め取り作用、ゴミ連結体保持作用、及び汚れ拭き取り作用をより発揮することができる。
【００４８】
さらに、図４に示されるように、一方向第１フラップ部３１ａの第１自由端部２９ａが、隣接する他方向第１フラップ部３３ｂの第１自由端部２９ｂと交差しておらず、一方向第１フラップ部３１ａの第１固定端部２７ａが、隣接する他方向第１フラップ部３３ｂの第１固定端部２７ｂと交差している。
また、一方向第１フラップ部３１ｃの第１自由端部２９ｃが、隣接する他方向第１フラップ部３３ｄの第１自由端部２９ｄと交差しておらず、一方向第１フラップ部３１ｃの第１固定端部２７ｃが、隣接する他方向第１フラップ部３３ｄの第１固定端部２７ｄと交差している。
【００４９】
そうすることにより、一方向第１フラップ部３１ａ及び他方向第１フラップ部３３ｂが、往復運動を行う際に起点となる、第１自由端部２９ａ及び第１自由端部２９ｂの自由度を保持しながら、相互に干渉しあうことにより、それらが複雑な動きをすることができ、小ゴミ取り込み作用、大ゴミ絡め取り作用、ゴミ連結体保持作用、及び汚れ拭き取り作用をより発揮することができる。また、一方向第１フラップ部３１ｃ及び他方向第１フラップ部３３ｄが、往復運動を行う際に起点となる、第１自由端部２９ｃ及び第１自由端部２９ｄの自由度を保持しながら、相互に干渉しあうことにより、それらが複雑な動きをすることができ、小ゴミ取り込み作用、大ゴミ絡め取り作用、ゴミ連結体保持作用、及び汚れ拭き取り作用をより発揮することができる。
【００５０】
図４では、第１フラップ部第４群４１を構成する、一方向第１フラップ部３１及び他方向第１フラップ部３３の関係について説明したが、第１フラップ部第１群３５〜第１フラップ部第７群４７のそれぞれにおいても、一方向第１フラップ部３１及び他方向第１フラップ部３３は、同様の関係性を有する。
【００５１】
図５に示されるように、清掃シート１が、第１方向Ｄ1の一方向Ｄ11に動かされると、一方向第１フラップ部３１（一方向第１フラップ部３１ａ，及び一方向第１フラップ部３１ｃ）が、第１方向Ｄ1の他方向Ｄ12に向かって折り畳まれる。その際、他方向第１フラップ部３３（他方向第１フラップ部３３ｂ，及び他方向第１フラップ部３３ｄ）が、第１方向Ｄ1の一方向Ｄ11に折り畳まれていた場合には、一方向第１フラップ部３１（一方向第１フラップ部３１ａ，及び一方向第１フラップ部３１ｃ）が折り畳まれるのに合わせて、他方向第１フラップ部３３（他方向第１フラップ部３３ｂ，及び他方向第１フラップ部３３ｄ）が、第１方向Ｄ1の他方向Ｄ12に向かって倒れ、元の位置に戻りやすくなる。
【００５２】
なお、一方向第１フラップ部３１（一方向第１フラップ部３１ａ，及び一方向第１フラップ部３１ｃ）が、第１方向Ｄ1の他方向Ｄ12に折り畳まれることにより、一方向第１フラップ部３１（一方向第１フラップ部３１ａ，及び一方向第１フラップ部３１ｃ）が存在していた場所に、一方向第１開口部４９（一方向第１開口部４９ａ，及び一方向第１開口部４９ｃ）が形成され、そして他方向第１フラップ部３３（他方向第１フラップ部３３ｂ，及び他方向第１フラップ部３３ｄ）が、第１方向Ｄ1の一方向Ｄ11に折り畳まれることにより、他方向第１フラップ部３３（他方向第１フラップ部３３ｂ，及び他方向第１フラップ部３３ｄ）が存在していた場所に、他方向第１開口部５１（他方向第１開口部５１ｂ，及び他方向第１開口部５１ｄ）が形成される。
【００５３】
なお、一方向第１フラップ部３１が折り畳まれることにより形成される一方向第１開口部４９は、一方向第１フラップ部３１の折り返し起点である第１固定端部２７付近において、上述の小ゴミ取り込み作用が最も高くなる傾向があるため、一方向第１開口部４９ａ，及び一方向第１開口部４９ｃは、清掃シート１を第１方向Ｄ1の一方向Ｄ11に動かす場合に、上述の小ゴミ取り込み作用が高くなる傾向がある。また、他方向第１フラップ部３３が折り畳まれることにより形成される他方向第１開口部５１は、他方向第１フラップ部３３の折り返し起点である第１固定端部２７付近において、上述の小ゴミ取り込み作用が最も高くなる傾向があるため、他方向第１開口部５１ｂ、及び他方向第１開口部５１ｄは、清掃シート１を第１方向Ｄ1の他方向Ｄ12に動かす場合に、上述の小ゴミ取り込み作用が高くなる傾向がある。
【００５４】
図示されていないが、清掃シート１が、第１方向Ｄ1の他方向Ｄ12に動かされると、他方向第１フラップ部３３（他方向第１フラップ部３３ｂ、及び他方向第１フラップ部３３ｄ）が、第１方向Ｄ1の一方向Ｄ11に向かって折り返される。それに合わせて、一方向第１フラップ部３１（一方向第１フラップ部３１ａ、及び一方向第１フラップ部３１ｃ）が、第１方向Ｄ1の一方向Ｄ11に向かって倒れ、元の位置に戻りやすくなる。
【００５５】
図６に示されるように、第１表面シート３は、第１面５を構成するとともに、親水性繊維及び疎水性繊維を含む第１表面シート第１層５３と、第２面７を構成するとともに、親水性繊維及び疎水性繊維を含む第１表面シート第２層５５とを含み、第１表面シート第２層５５の疎水性繊維の比率が、第１表面シート第１層５３の疎水性繊維の比率よりも高い。そうすることにより、第１表面シート第１層５３が、被清掃面に薬液を拡げ、被清掃面を清浄化することができ、そして被清掃面が、ゴミ、汚れ等が存在する摩擦の高い部分を有する場合には、第１フラップ部２１が折り返され、高比率で疎水性繊維を含む第１表面シート第２層５５が、湿潤した汚れ部分と接触し、汚れ部分を掻き取り、除去することができる。また、疎水性繊維の比率の高い第１表面シート第２層５５が、保水シート９に張り付きにくくなるため、複数の一方向第１フラップ部３１（及び複数の他方向第１フラップ部）が、清掃シート１の使用時に折り返されやすくなる。
【００５６】
第２表面シート１１は、第１表面シート３と同様の構造を有する。すなわち、第２表面シート１１は、不織布から構成され、被清掃面側に配置された第１面１３と、第１面１３と反対側且つ保水シート９側に配置された第２面１５とを備えている。第２面１５は、保水シート９と接している。
【００５７】
第２表面シート１１は、清掃領域ＣＲに、複数の第２フラップ部６１を備えている。複数の第２フラップ部６１のそれぞれは、第２一端（図示せず）及び第２他端（図示せず）と、第２一端及び第２他端を連結する第２固定端部（図示せず）と、第２一端及び第２他端を起点として第２固定端部（図示せず）から遠ざかる方向に突出している第２自由端部（図示せず）とから構成されるものを備えている。
【００５８】
また、第２表面シート１１は、第１方向Ｄ1の一方向Ｄ11に突出している第２自由端部（図示せず）を備えている、複数の一方向第２フラップ部７１と、第１方向Ｄ1の他方向Ｄ12に突出している第２自由端部（図示せず）を備えている、複数の他方向第２フラップ部７３とから構成されている。
【００５９】
第２表面シート１１における、第２一端、第２他端、第２固定端部、第２自由端部、一方向第２フラップ部、及び他方向第２フラップ部は、それぞれ、第１表面シート３における、第１一端２３、第１他端２５、第１固定端部２７、第１一端２３、第１自由端部２９、他方向第１フラップ部３３、及び一方向第１フラップ部３１と同様であるため、説明を省略する。
また、第２表面シート１１は、第２フラップ部第１群７５〜第２フラップ部第７群８７を備え、それらは、それぞれ、第１フラップ部第１群３５〜第１フラップ部第７群４７と同様であるため、説明を省略する。
【００６０】
図８に示されるように、清掃シート１を、把持部１０３及び清掃シート取付部１０５を備える清掃具１０１の、清掃シート取付部１０５に、第１表面シート３が被清掃面と接するように取付け、被清掃面を清掃すると、図７に示されるように、複数の一方向第１フラップ部３１と、複数の他方向第１フラップ部３３のそれぞれとが、ゴミ連結体１０７を巻込むことにより保持するとともに、小さなゴミ（図示せず）を、複数の一方向第１開口部４９のそれぞれと、複数の他方向第１開口部５１のそれぞれとを介して収集し、小さなゴミ（図示せず）を、第１表面シート３と、保水シート９との間に保持する。
【００６１】
本開示の清掃シートは、表面シートと、薬液を保持する保水シートとを備えている限りは、清掃シートの構成は、特に制限されない。本開示の清掃シートは、例えば、第１実施形態と同様に、２枚の表面シートと、それらの間に配置された保水シートとから構成され、清掃シートの両面を被清掃面の清掃に用いることができるものであることができ、そして表面シートと、フィルム等の液不透過性シートと、それらの間に配置された保水シートとから構成されていてもよい。さらに、本開示の清掃シートでは、複数枚の表面シート（例えば、複数のフラップ部の形状が異なる複数枚の表面シート）と、当該複数枚の表面シートの一方に配置された保水シートとを含むものであってもよい。
【００６２】
また、本開示の清掃シートは、表面シートと、保水シートとの間に、追加のシート、例えば、メッシュシートを含んでもよい。なお、保水シートが保持する薬液を被清掃面に存在するゴミ、汚れ等に直接適用する観点からは、表面シートと、保水シートとは、清掃シートの厚さ方向に隣接していることが好ましい。
【００６３】
本開示の清掃シートでは、表面シートを構成する不織布は、被清掃面側の第１面と、保水シート側の第２面とを有するものであれば特に制限されず、当技術分野で表面シートとして用いられるものを挙げることができ、例えば、スパンレース不織布、エアスルー不織布、スパンボンド不織布、ＳＭＳ不織布、サーマルボンド不織布、ポイントボンド不織布、メルトブローン不織布、ケミカルボンド不織布、エアレイド不織布等が挙げられる。
【００６４】
上記不織布は、親水性繊維と、疎水性繊維とを含むことが好ましく、そして親水性繊維及び疎水性繊維を、より好ましくは５〜４５質量％及び５５〜９５質量％、さらに好ましくは２０〜３０質量％及び７０〜８０質量％、そしてさらにいっそう好ましくは２３〜２８質量％及び７２〜７７質量％の比率で含む。そうすることにより、表面シートが、保水シートが保持する薬液を、表面シートを介して被清掃面に供給しつつ、被清掃面に存在する、固形状の汚れを掻き取りやすくなり、そしてゴミ等を収集しやすくなる。
なお、上記不織布が、後述する２層又は３層以上の複層から構成される場合には、上述の親水性繊維及び疎水性繊維の比率は、不織布全体としての比率を意味する。
【００６５】
本開示の清掃シートでは、上記表面シートは、単層から構成されていてもよく、そして複層から構成されていてもよい。
上記表面シートが、２層又は３層以上の複層から構成される場合には、第１面を構成する第１層と、第２面を構成する第２層とのそれぞれが、親水性繊維及び疎水性繊維を含むことが好ましく、そして第２層を構成する疎水性繊維の比率が、第１層を構成する疎水性繊維の比率よりも好ましくは高く、より好ましくは１．００〜２．００倍高く、そしてさらに好ましくは１．０５〜１．５０倍高く、そしてさらにいっそう好ましくは１．１０〜１．２０倍高い。そうすることにより、第１層が、保水シートが保持する薬液を被清掃面に拡げる能力が相対的に高くなり、そして第２層が、汚れ部分の掻き取り性に相対的に優れることになる。
【００６６】
上記親水性繊維としては、セルロース系繊維、例えば、パルプ繊維、再生セルロース繊維、及び半合成セルロース繊維が挙げられる。上記再生セルロース繊維としては、レーヨン繊維、例えば、ビスコースから得られるビスコースレーヨン、ポリノジック及びモダール、セルロースの銅アンモニア塩溶液から得られる銅アンモニアレーヨン繊維（「キュプラ」とも称される）；有機化合物及び水の混合溶液である有機溶剤を用いた有機溶剤紡糸法によって得られ、セルロース誘導体を経ないリヨセル及びテンセル等が挙げられる。
上記半合成セルロース繊維としては、例えば、アセテート繊維、例えば、トリアセテート繊維及びジアセテート繊維が挙げられる。
【００６７】
上記疎水性繊維としては、合成繊維、例えば、熱融着性繊維、例えば、ポリオレフィン系ポリマー、例えば、ポリエチレン若しくはポリプロピレン；ポリエステル系ポリマー、例えば、テレフタレート系ポリマー、例えば、ポリエチレンテレフタレート（ＰＥＴ），ポリブチレンテレフタレート，ポリペンチレンテレフタレート；ポリアミド系ポリマー、例えば、ナイロン６若しくはナイロン６，６；アクリル系ポリマー；ポリアクリロニトリル系ポリマー；又はそれらの変性物、あるいはそれらの組み合わせ等から形成された繊維が挙げられる。
【００６８】
本開示の清掃シートでは、保水シートは、薬液を保持しうるものであれば、特に制限されず、当技術分野で保水シートとして用いられているものを制限なく採用することができ、例えば、エアレイドパルプ、スパンレース不織布、パルプシート、シート状のスポンジ等から構成されうる。
上記保水シートは、薬液を保持するため、親水性繊維を含むことができる。上記親水性繊維としては、表面シートの箇所で説明したものと同様のものが挙げられる。例えば、上記エアレイドパルプは、表面シートの箇所で説明した合成繊維と、親水性繊維（例えば、パルプ繊維）とを含むことができる。
本開示の清掃シートでは、保水シートが保持する薬液は、当技術分野で公知の薬液を採用しうる。
【００６９】
本開示の清掃シートでは、表面シートは、清掃領域に、複数のフラップ部を備えている。複数のフラップ部のそれぞれは、一端及び他端と、一端及び他端を連結する直線状の固定端部と、一端及び他端を起点として固定端部から遠ざかる方向に突出している自由端部とから構成されるものであれば、特に制限されず、任意の形状を有することができる。
上記複数のフラップ部のそれぞれは、自由端部が、湾曲部（例えば、円弧部、楕円弧部）、２以上の直線部、並びに湾曲部及び直線部の組み合わせからなる群から選択されることが好ましい。
【００７０】
また、上記フラップ部のそれぞれは、自由端部の、固定端部から最も遠い最遠部が、湾曲部又は固定端部と並行又は交差する方向に延びる直線部から構成されることが好ましい。
上記湾曲部は、曲率半径が、好ましくは３．０〜２５．０ｍｍ、より好ましくは５．０〜２０．０ｍｍ、そしてさらに好ましくは７．０〜１５．０ｍｍである。上記直線部は、固定端部と、好ましくは５．０〜３０．０°、より好ましくは１０．０〜２５．０°、そしてさらに好ましくは１５．０〜２０．０°の交差角を有することが好ましい。そうすることにより、本開示の清掃シートを用いる際に、フラップ部が往復運動しやすくなる。
【００７１】
図１０は、本開示の清掃シートにおけるフラップ部の例を説明するための図である。図１０（ａ）に示されるフラップ部３０１は、一端３０３及び他端３０５と、一端３０３及び他端３０５を直線的に連結する固定端部３０７と、一端３０３及び他端３０５を起点として固定端部３０７から遠ざかる方向に凸になるように湾曲している自由端部３０９とから構成されており、自由端部３０９が曲率半径Ｒ1の半円弧部であり、そして最遠部３１１がまた、曲率半径Ｒ1を有する。
【００７２】
図１０（ｂ）に示されるフラップ部３０１は、一端３０３及び他端３０５と、一端３０３及び他端３０５を直線的に連結する固定端部３０７と、一端３０３及び他端３０５を起点として固定端部３０７から遠ざかる方向に凸になるように湾曲している自由端部３０９とから構成されており、自由端部３０９が楕円弧部であり、そして最遠部３１１が、曲率半径Ｒ2を有する。
【００７３】
図１０（ｃ）に示されるフラップ部３０１は、一端３０３及び他端３０５と、一端３０３及び他端３０５を直線的に連結する固定端部３０７と、２本の直線部及びそれらの間の楕円弧部から構成される自由端部３０９とから構成されており、そして最遠部３１１が、曲率半径Ｒ3を有する。
図１０（ｄ）に示されるフラップ部３０１は、一端３０３及び他端３０５と、一端３０３及び他端３０５を直線的に連結する固定端部３０７と、３本の直線部から構成される自由端部３０９とから構成されており、そして最遠部３１１が、固定端部３０７と０°の交差角を有する直線部から構成されている。なお、図９に示されるフラップ部２０１もまた、本開示の清掃シートにおけるフラップ部に該当する。
【００７４】
本開示の清掃シートでは、表面シートは、任意の大きさを有する、複数のフラップ部を備えることが可能であり、そして表面シートが、複数のフラップ部として、第１方向及び／又は第２方向において、内方に配置された、相対的に面積の小さなフラップ部と、外方に配置された、相対的に面積の大きなフラップ部とを備えているが好ましい。そうすることにより、外方に配置されている、相対的に面積の大きなフラップ部が、相対的に大きな往復運動をする際に、ゴミ連結体を巻込むこと等により、肥大化したゴミ連結体を保持しやすくなる。また、内方に配置されている、面積の小さなフラップ部は、相対的に小さな往復運動を行い、外方に配置されている、面積の大きなフラップ部が取り残したゴミを捕捉することができる。
【００７５】
本開示の清掃シートでは、表面シートが、複数のフラップ部として、隣接する２つのフラップ部の可動領域が、清掃シートの厚さ方向において重複しているものを含むことがこのましい。そうすることにより、本開示の清掃シートが、上述の小ゴミ取り込み作用、大ゴミ絡め取り作用、ゴミ連結体保持作用、及び汚れ拭き取り作用をより発揮することができる。
【００７６】
本開示の清掃シートでは、表面シートが、複数のフラップ部として、隣接する２つのフラップ部が、清掃シートの厚さ方向において重複しているものを含むことが好ましい。そうすることにより、本開示の清掃シートが、上述の小ゴミ取り込み作用、大ゴミ絡め取り作用、ゴミ連結体保持作用、及び汚れ拭き取り作用をより発揮することができる。
【００７７】
本開示の清掃シートでは、表面シートが、複数のフラップ部として、隣接する２つのフラップ部であって、一方のフラップ部の自由端部が、他方のフラップ部の固定端部と交差しているとともに、他方のフラップ部の自由端部と交差していないフラップ部を含むものを含むことが好ましい。そうすることにより、本開示の清掃シートが、上述の小ゴミ取り込み作用、大ゴミ絡め取り作用、ゴミ連結体保持作用、及び汚れ拭き取り作用をより発揮することができる。
【００７８】
本開示の清掃シートでは、表面シートが、複数のフラップ部として、第１方向の一方向に突出している自由端部を備えている一方向フラップ部と、第１方向の他方向に突出している自由端部を備えている他方向フラップ部とを含むことが好ましい。そうすることにより、本開示の清掃シートを、第１方向に往復させる際に、いずれの方向に動かした場合でも、上述の小ゴミ取り込み作用、大ゴミ絡め取り作用、ゴミ連結体保持作用、及び汚れ拭き取り作用を発揮することができる。
【符号の説明】
【００７９】
１    清掃シート
３    第１表面シート
５    第１面
７    第２面
９    保水シート
１１    第２表面シート
１３    第１面
１５    第２面
２１    第１フラップ部
２３    第１一端
２５    第１他端
２７    第１固定端部
２９    第１自由端部
３１    一方向第１フラップ部
３３    他方向第１フラップ部
３５    第１フラップ部第１群
３７    第１フラップ部第２群
３９    第１フラップ部第３群
４１    第１フラップ部第４群
４３    第１フラップ部第５群
４５    第１フラップ部第６群
４７    第１フラップ部第７群
４９    一方向第１開口部
５１    他方向第１開口部
５３    第１表面シート第１層
５５    第１表面シート第２層
ＣＲ    清掃領域
Ｐ    平面方向
Ｄ1    第１方向
Ｄ11    一方向
Ｄ12    他方向
Ｄ2    第２方向
Ｔ    厚さ方向
ＭＲ    可動領域
Ｌ    長手方向
Ｓ    短手方向
【図１】
2019216855.tif 000003
【図２】
2019216855.tif 000004
【図３】
2019216855.tif 000005
【図４】
2019216855.tif 000006
【図５】
2019216855.tif 000007
【図６】
2019216855.tif 000008
【図７】
2019216855.tif 000009
【図８】
2019216855.tif 000010
【図９】
2019216855.tif 000011
【図１０】
2019216855.tif 000012